(57)【要約】【課題】空気の吸込み量を低下させることなく室内機の意匠性を改善することができ、その上開閉パネルの剛性を高めることのできる空気調和機を提供する。【解決手段】室内機本体部２の前面側に設置される開閉パネル７の左右方向の長さＬ1を室内機本体部２の左右方向の長さＬより長く形成してその両端部を後面側に折り曲げて折り曲げ部８ａ，８ｂを形成し、開閉パネル７を室内機本体部２の前面側に設置したときに、折り曲げ部８ａ，８ｂにより室内機本体部２の側面４ａ，４ｂの一部を覆うように構成した。【選択図】図２
2010101551.tif 000002
【特許請求の範囲】
【請求項１】
室内機本体部の前面側に設置される開閉パネルの左右方向の長さを前記室内機本体部の左右方向の長さより長く形成してその両端部を後面側に折り曲げて折り曲げ部を形成し、前記開閉パネルを前記室内機本体部の前面側に設置したときに、前記折り曲げ部により前記室内機本体部の側面の一部を覆うように構成したことを特徴とする空気調和機。
【請求項２】
前記室内機本体部の側面と前記開閉パネルの折り曲げ部との間に、側面吸込み口を設けたことを特徴とする請求項１記載の空気調和機。
【請求項３】
前記開閉パネルの両端部に設けた折り曲げ部の内側に、指の挿入防止用の開閉パネルカバーを設けたことを特徴とする請求項１又は２記載の空気調和機。
【発明の詳細な説明】
【技術分野】
【０００１】
本発明は、空気調和機に係り、より詳しくは、室内機の開閉パネル及び空気吸込み口の改良に関するものである。
【背景技術】
【０００２】
従来の空気調和機の室内機に、上面及び両側面に設けた吸込み口から室内の空気が取入れられ、室内熱交換器と熱交換したのち吹出し口から室内に送出するようにしたものがある（例えば、特許文献１参照）。
【０００３】
【特許文献１】特開２００３−１３０３８４号公報（第４頁、図２）
【発明の開示】
【発明が解決しようとする課題】
【０００４】
特許文献１に記載の空気調和機の室内機の両側面に設けた吸込み口は、横から室内機の内部が見えてしまうので、意匠性が悪いという問題があった。また、フロントパネルは、吸込み口を形成するために両側がカットされているので剛性が低下し、使用者が開閉する際に変形し易く、開閉の作業性が悪かった。
【０００５】
本発明は、上記の課題を解決するためになされたもので、空気の吸込み量を低下させることなく、室内機の意匠性を改善することができ、その上開閉パネルの剛性を高めて開閉の作業性を向上することのできる空気調和機を提供することを目的としたものである。
【課題を解決するための手段】
【０００６】
本発明に係る空気調和機は、室内機本体部の前面側に設置される開閉パネルの左右方向の長さを前記室内機本体部の左右方向の長さより長く形成してその両端部を後面側に折り曲げて折り曲げ部を形成し、前記開閉パネルを前記室内機本体部の前面側に設置したときに、前記折り曲げ部により前記室内機本体部の側面の一部を覆うように構成したものである。
【発明の効果】
【０００７】
本発明によれば、開閉パネルの両側を折り曲げて形成した折り曲げ部により、室内機本体部の側面の一部を覆うと共に、室内機本体部の側面と折り曲げ部との間に側面吸込み口を設けたので、空気の吸込み量を低下することなく室内機の意匠性を高めることができる。また、開閉パネルの剛性を高めることができるので、開閉の際に変形することがなく、これにより開閉の作業性を向上することができる。
【発明を実施するための最良の形態】
【０００８】
［実施の形態１］
図１は本発明の実施の形態１に係る空気調和機の室内機の斜視図、図２は図１の平断面図、図３は図１の縦断面図である。
空気調和機を構成する室内機１は、後面側に設けた据付板３と、その両側面に設けた側面板４ａ，４ｂと、据付板３の内側に設けた風路ガイド５と、上面に設けた上部吸込み口６等とにより、前面が開口されたほぼ箱状の室内機本体部２を備えている。
【０００９】
そして、前面開口部には、両側が後面側にほぼ直角に折り曲げられて折り曲げ部８ａ，８ｂが形成された開閉パネル７が開閉可能に装着されており、上部吸込み口６と開閉パネル７の内側にはフィルタ１１が設けられている。１２は開閉パネル７の下部とフィルタ１１との間に形成された下部吸込み口である。
【００１０】
１３はフィルタ１１の内側（下流側）に配設された熱交換器、１４は熱交換器１３の下流側に設置され、モータ１５で駆動される送風機である。１６は送風機１４の下流側に設けられて吹出し口１７に連通する風路で、吹出し口１７には左右風向板１８及び上下風向板１９が設けられている。
【００１１】
開閉パネル７は、図２に示すように、左右方向の長さ（幅）Ｌ1が、室内機本体部２の左右方向の長さ（幅）Ｌより若干長くＬ1＞Ｌに形成されており、開閉パネル７を室内機本体部２の前面に設置したときに、折り曲げ部８ａ，８ｂは室内機本体部２の側面板４ａ，４ｂの一部を覆うと共に、側面板４ａ，４ｂと折り曲げ部８ａ，８ｂとの間に、熱交換器１３から送風機１４に連通する側面吸込み口１０ａ，１０ｂが形成される。
【００１２】
上記のように構成した本実施の形態に係る空気調和機において、運転のため電源スイッチをＯＮすると、図４、図５に示すように、送風機１４がモータ１５に駆動されて矢印方向に回転し、上部吸込み口６、下部吸込み口１２及び側面吸込み口１０ａ，１０ｂから室内空気を吸引する。吸引された室内空気は、熱交換器１３により熱交換されて温風又は冷風となり、風路１６を通って吹出し口１７から室内に吹出される。
【００１３】
本実施の形態においては、開閉パネル７の長さＬ1を室内機本体部２の長さＬより長く形成し、室内機本体部２の前面側に設置したときに、その折り曲げ部８ａ，８ｂにより室内機本体部２の側面板４ａ，４ｂの一部を覆って内部が見えないようにすると共に、室内機本体部２の側面板４ａ，４ｂと折り曲げ部８ａ，８ｂとの間に側面吸込み口１０ａ，１０ｂを形成したので、外気の吸込み量を低下することなく、意匠性を向上することができる。また、開閉パネル７の両側を折り曲げて折り曲げ部８ａ，８ｂを形成して剛性を高めたので、開閉の際に変形することがなく、開閉の作業性を向上することができる。
【００１４】
［実施の形態２］
図６は本発明の実施の形態２に係る空気調和機の室内機の平断面図である。なお、実施の形態１と同じ部分にはこれと同じ符号を付し説明を省略する。
本実施の形態は、実施の形態１の開閉パネル７において、折り曲げ部８ａ，８ｂの後面側の先端部を内側に折り曲げたのち、さらに前面側に折り曲げて、室内機本体部２の側面板４ａ，４ｂと対向して開閉パネルカバー９ａ，９ｂを設け、この開閉パネルカバー９ａ，９ｂと側面板４ａ，４ｂとの間に側面吸込み口１０ａ，１０ｂを形成したものである。なお、上記の説明では、開閉パネルカバー９ａ，９ｂを折り曲げ部８ａ，８ｂと一体に形成した場合を示したが、開閉パネルカバー９ａ，９ｂを別部品として形成し、折り曲げ部８ａ，８ｂの内側に取付けるようにしてもよい。
【００１５】
開閉パネル７の長さＬ1を長くして側面吸込み口１０ａ，１０ｂを大きく（広く）すると、開閉パネル７を開閉する際に、側面吸込み口１０ａ，１０ｂに指を差し込んだり挟まれたりして怪我をするおそれがある。
本実施の形態においては、開閉パネル７の折り曲げ部８ａ，８ｂの内側に開閉パネルカバー９ａ，９ｂを設けたので、側面板４ａ，４ｂと折り曲げ部８ａ，８ｂとの間に指を差し込んだり挟まれたりするのを防止することができる。
本実施の形態の作用、効果は、実施の形態１の場合とほぼ同様である。
【００１６】
上記の説明では、図示の空気調和機の室内機に本発明を実施した場合を示したが、これに限定するものではなく、他の構造の空気調和機にも本発明を実施することができる。
【図面の簡単な説明】
【００１７】
【図１】本発明の実施の形態１に係る空気調和機の室内機の斜視図である。
【図２】図１の平断面図である。
【図３】図１の縦断面図である。
【図４】実施の形態１の室内機の作用説明図である。
【図５】実施の形態１の室内機の作用説明図である。
【図６】本発明の実施の形態２に係る空気調和機の室内機の平断面図である。
【符号の説明】
【００１８】
１  室内機、２  室内機本体部、３  据付板、４ａ，４ｂ  側面板、６  上部吸込み口、７  開閉パネル、８ａ，８ｂ  折り曲げ部、９ａ，９ｂ  開閉パネルカバー、１０ａ，１０ｂ  側面吸込み口、１１  フィルタ、１２  下部吸込み口、１３  熱交換器、１４  送風機、１７  吹出し口。
【図１】
2010101551.tif 000003
【図２】
2010101551.tif 000004
【図３】
2010101551.tif 000005
【図４】
2010101551.tif 000006
【図５】
2010101551.tif 000007
【図６】
2010101551.tif 000008